(57)【特許請求の範囲】
【請求項１】
撮像手段を備えた撮影レンズユニットが、カメラボディに設けられたレンズマウントに対して着脱自在に取り付けられるレンズ交換式カメラであって、
前記レンズマウントに形成された被係合部と、
前記レンズマウントに形成された被固定部と、
前記撮影レンズユニットの光軸を挟んで一方側に形成され、前記被係合部に回動可能に係合される係合部と、
前記撮影レンズユニットの光軸を挟んで他方側に形成され、前記被固定部に固定される固定部と、
前記撮影レンズユニットに設けられたレンズ側コネクタと、
前記レンズマウントに設けられたボディ側コネクタと、
を備え、前記撮影レンズユニットの前記係合部を前記レンズマウントの前記被係合部に係合させて前記撮影レンズユニットを前記レンズマウント側に回動させると、前記レンズ側コネクタが前記ボディ側コネクタに接続されるとともに、前記固定部が前記被固定部に固定されて、前記撮影レンズユニットが前記レンズマウントにロックされ、前記撮像手段からの画像信号が、前記レンズ側コネクタと前記ボディ側コネクタとを介して前記レンズユニットから前記カメラボディに伝送されることを特徴とするレンズ交換式カメラ。
【請求項２】
前記レンズ側コネクタが、前記係合部と前記固定部との間に配置されるとともに、該レンズ側コネクタに対応して前記ボディ側コネクタが前記レンズマウントに配置されることを特徴とする請求項１に記載のレンズ交換式カメラ。
【請求項３】
前記レンズ側コネクタが、前記係合部と前記固定部との間であって、前記係合部又は前記固定部寄りの位置に配置されるとともに、該レンズ側コネクタに対応して前記ボディ側コネクタが前記レンズマウントに配置されることを特徴とする請求項１に記載のレンズ交換式カメラ。
【請求項４】
前記レンズ側コネクタと前記ボディ側コネクタは、前記撮像手段からの画像信号を前記撮影レンズユニットから前記カメラボディに伝送するとともに、レンズ制御信号を前記カメラボディから前記撮影レンズユニットに伝送することを特徴とする請求項１、２又は３に記載のレンズ交換式カメラ。
【請求項５】
前記撮像手段からの画像信号を前記撮影レンズユニットから前記カメラボディに伝送するためのレンズ側コネクタとボディ側コネクタとは別に、レンズ制御信号を前記カメラボディから前記撮影レンズユニットに伝送するためのレンズ側コネクタとボディ側コネクタとを備えたことを特徴とする請求項１、２又は３に記載のレンズ交換式カメラ。
【請求項６】
前記レンズ側コネクタと前記ボディ側コネクタを複数備え、前記固定部と前記係合部とを結ぶ線分に対して左右均等に又は前記線分上に上下均等に前記複数のレンズ側コネクタが配置されるとともに、該複数のレンズ側コネクタに対応する位置に前記複数のボディ側コネクタが配置されることを特徴とする請求項１に記載のレンズ交換式カメラ。
【請求項７】
前記レンズ側コネクタと前記ボディ側コネクタを複数備えるとともに、前記固定部を複数備え、該複数の固定部と前記係合部とを結ぶ線分で形成される多角形の重心に対して均等に前記複数のレンズ側コネクタが配置されるとともに、該レンズ側コネクタに対応する位置に前記複数のボディ側コネクタが配置されることを特徴とする請求項１に記載のレンズ交換式カメラ。
【発明の詳細な説明】
【０００１】
【発明の属する技術分野】
本発明はレンズ交換式カメラに係り、特に撮影レンズユニットに撮像手段が内蔵されたレンズ交換式カメラに関する。
【０００２】
【従来の技術】
銀塩カメラの分野では、従来より撮影レンズをカメラボディから取り外して交換できるようにしたレンズ交換式のカメラが知られている。近年、デジタルカメラの分野においても、銀塩カメラと同様に撮影レンズを交換できるようにしたレンズ交換式のカメラが提案されている。一般に、このようなレンズ交換式のカメラでは、特開平１１−１４２９３５号公報等に開示されているように、バヨネット方式のマウントを用いて撮影レンズをカメラボディに取り付けるようにしている。
【０００３】
ところで、デジタルカメラはＣＣＤ等の撮像素子を用いて光学像を電子画像信号に変換し、撮影画像データを記録媒体に記録するものであり、撮像素子は必ずしもカメラボディ内に配置する必要はない。このため、レンズ交換式のデジタルカメラでは、撮影レンズに撮像素子を組み込み、撮像素子ごと撮影レンズを交換するようにしているものもある。
【０００４】
【発明が解決しようとする課題】
しかしながら、撮影レンズに撮像素子が組み込まれたレンズ交換式のデジタルカメラでは、撮影レンズとカメラボディ間でレンズ制御信号等の送受に加えて映像信号の送受も行わなければならないため、マウント部に多数の電気的接点が必要となるが、従来のバヨネット方式のマウントでは構造上確保できる接点の数に限度があった。一方、接点の面積を小さくして接点数を増やす方法も考えられるが、接触不良を起こしやすいという欠点がある。
【０００５】
本発明は、このような事情に鑑みてなされたもので、撮影レンズユニットとカメラボディとの電気的接続を確実に行うことができるレンズ交換式カメラを提供することを目的とする。
【０００６】
【課題を解決するための手段】
本発明は、前記目的を達成するために、撮像手段を備えた撮影レンズユニットが、カメラボディに設けられたレンズマウントに対して着脱自在に取り付けられるレンズ交換式カメラであって、前記レンズマウントに形成された被係合部と、前記レンズマウントに形成された被固定部と、前記撮影レンズユニットの光軸を挟んで一方側に形成され、前記被係合部に回動可能に係合される係合部と、前記撮影レンズユニットの光軸を挟んで他方側に形成され、前記被固定部に固定される固定部と、前記撮影レンズユニットに設けられたレンズ側コネクタと、前記レンズマウントに設けられたボディ側コネクタと、を備え、前記撮影レンズユニットの前記係合部を前記レンズマウントの前記被係合部に係合させて前記撮影レンズユニットを前記レンズマウント側に回動させると、前記レンズ側コネクタが前記ボディ側コネクタに接続されるとともに、前記固定部が前記被固定部に固定されて、前記撮影レンズユニットが前記レンズマウントにロックされ、前記撮像手段からの画像信号が、前記レンズ側コネクタと前記ボディ側コネクタとを介して前記レンズユニットから前記カメラボディに伝送されることを特徴とするレンズ交換式カメラを提供する。
【０００７】
本発明によれば、撮影レンズユニットに形成された係合部をカメラボディに形成された被係合部に係合させて、撮影レンズユニットをカメラボディ側に回動させると、互いのコネクタが接続される。これにより、簡単かつ確実に撮影レンズユニットとカメラボディとを電気的に接続できるとともに、接点数の多い大型のコネクタを用いることができる。
【０００８】
【発明の実施の形態】
以下添付図面に従って本発明に係るレンズ交換式カメラの好ましい実施の形態について詳説する。
【０００９】
図１は本発明に係るレンズ交換式カメラの第１の実施の形態の外観構成を示す斜視図である。
【００１０】
同図に示すように、このレンズ交換式カメラ１０は、カメラボディ１２と撮影レンズユニット１４とで構成されている。撮影レンズユニット１４は、カメラボディ１２に対して着脱自在に設けられており、カメラボディ１２の正面に設けられたレンズマウント１６に装着されてカメラボディ１２と一体化される。
【００１１】
まず、この撮影レンズユニット１４とレンズマウント１６との接続部の構造について説明する。
【００１２】
図１〜図３に示すように、撮影レンズユニット１４は円筒状に形成されており、その基端部外周に一対の突片１８、２０を有している。この一対の突片１８、２０は、所定の幅をもった板状に形成されており、撮影光軸Ｌに対して上下対称に配置されている。
【００１３】
一方、レンズマウント１６は撮影レンズユニット１４の端面の形状に合致した円盤状に形成されている。このレンズマウント１６の下部には、前記撮影レンズユニット１４の下側突片１８が嵌合する嵌合部２２が形成されており、また、上部には上側突片２０を固定するロック機構２４が設けられている。
【００１４】
嵌合部２２はブロック状に形成されており、先端部がレンズマウント１６の前面から突出して形成されている。そして、その突出した部分の上面に前記撮影レンズユニット１４の下側突片１８が嵌入する穴２６が形成されている。
【００１５】
一方、ロック機構２４は、先端部が鉤状に形成されたロック爪２８を前記上側突片２０に係合させて上側突片２０を固定する。このロック爪２８は、レンズマウント１６の上部に設けられた支持片３２に回転軸３０を介して回動自在に支持されており、その先端部に形成されたテーパ状の鉤部３４を上側突片２０に係合させて上側突片２０を係止する。ここで、この鉤部３４の内側には溝３６が形成されており、上側突片２０はこの溝３６に嵌合して係止される。また、このロック爪２８は、レンズマウント１６との間に取り付けられた引張バネ３８によって常に下方に付勢されている。
【００１６】
撮影レンズユニット１４をレンズマウント１６に装着する場合は、まず、撮影レンズユニット１４の基端部に形成された下側突片１８をレンズマウント１６の下側に形成された嵌合部２２の穴２６に嵌入させる。この際、撮影レンズユニット１４は、カメラボディ１２に対して先端部を下側に傾け、ゆっくりと回動させながら下側突片１８を嵌合部２２の穴２６に嵌入させる。
【００１７】
ここで、撮影レンズユニット１４を回動させてゆくと、撮影レンズユニット１４の上側突片１８が、レンズマウント１６の上部に設けられたロック爪２８の鉤部３４に当接するので、更に撮影レンズユニット１４を回動させてゆくと、突片２０が鉤部３４のテーパを利用してロック爪２８を押し上げ、鉤部３４を通過する。これにより、撮影レンズユニット１４の基端部端面がレンズマウント１６に密着する。一方、突片２０が通過した鉤部３８は、ロック爪２８に取り付けられた引張バネ３８の作用で下側に回動し、その内側面に形成された溝３６に突片２０が嵌合する。これにより、撮影レンズユニット１４がレンズマウント１６にロックされる。
【００１８】
図３は、図１に示したレンズ交換式カメラ１０の内部構造を示すブロック図である。
【００１９】
同図に示すように、撮影レンズユニット１４は、撮影レンズ４０、レンズ駆動部４１、絞り４２、シャッター４４、固体撮像素子（ＣＣＤ）４６、アナログ処理回路４８、ＣＣＤ駆動用のタイミングジェネレータ５０、Ｄ／Ａ変換部を有する電子ボリューム回路５２、ＥＥＰＲＯＭ５４、ＲＯＭ５６及びレンズ側コネクタ（オス）５８から構成されている。
【００２０】
一方、カメラボディ１２は、主として信号処理回路６０、中央処理装置（ＭＰＵ）６２、メモリカード６４が装着されるカードコネクタ６６及びボディ側コネクタ（メス）６８から構成されている。また、図示されていないが、カメラボディ１２には液晶モニタ、電源部、操作部（電源スイッチ、レリーズスイッチ、モード選択スイッチ、上／下キー、左／右キー、実行キーなどの各種キー及びスイッチ等）が設けられている。
【００２１】
この撮影レンズユニット１４とカメラボディ１２は、撮影レンズユニット１４に設けられたレンズ側コネクタ５８をカメラボディ１２のレンズマウント１６に設けられたボディ側コネクタ６８に接続することにより電気的に接続され、互いに信号の送受信が可能になる。
【００２２】
ここで、撮影レンズユニット１４に設けられたレンズ側コネクタ５８は、撮影レンズユニット１４の基端部端面に設けられており、上下一対の突片１８、２０を結ぶ線分Ｓ上の中心よりやや上側の位置（上側突片１８寄りの位置）に配置されている。
【００２３】
一方、カメラボディ１２に設けられたボディ側コネクタ６８は、レンズマウント１６の端面に設けられており、嵌合部２２とロック機構２４とを結ぶ線分Ｓ上の中心よりやや上側の位置（ロック機構２４寄りの位置）に配置されている。
【００２４】
このレンズ側コネクタ５８とボディ側コネクタ６８は、撮影レンズユニット１４をカメラボディ１２のレンズマウント１６に装着することにより自動的に接続される。すなわち、撮影レンズユニット１４の下側突片１８をレンズマウント１６の嵌合部２２の穴２６に嵌入させ、撮影レンズユニット１４を回動させると、その回動操作に伴って自動的にレンズ側コネクタ５８がボディ側コネクタ６８に嵌入される。そして、このレンズ側コネクタ５８がボディ側コネクタ６８に嵌入されることにより、撮影レンズユニット１４とカメラボディ１２とが互いに電気的に接続され、両者間で信号の送受信が可能になる。
【００２５】
ところで、本実施の形態のレンズ交換式カメラ１０のように撮影レンズユニット１４を交換できるカメラの場合、撮影レンズユニット１４の制御方法を規定するプログラムやデータを撮影レンズユニット側に搭載しておく必要がある。
【００２６】
このため、撮影レンズユニット１４に内蔵されたＥＥＰＲＯＭ５４には、撮影レンズユニット固有の調整値など、撮像部の制御や画像信号の処理に必要な各種データが保存されている。具体的には、ＣＣＤ４６の欠陥情報、画素数、カラーフィルタ配列、色バランス、及び感度などのＣＣＤ特性データ、撮影レンズ４０のレンズ特性（シェーディング、歪み等）などの情報がＥＥＰＲＯＭ５４に格納されている。また、ＲＯＭ５６には、ＣＣＤ４６、ＣＣＤ駆動用のタイミングジェネレータ５０などの制御方法や信号処理回路６０での処理方法を示した制御プログラムが格納されている。
【００２７】
以上のように構成された本実施の形態のレンズ交換式カメラ１０は、撮影レンズユニット１４をカメラボディ１２のマウント１６に装着し、互いのコネクタ同士が接続されると、次のように作動する。
【００２８】
まず、カメラボディ１２に設けられた電源スイッチが入れられると、ＭＰＵ６２は撮影レンズユニット１４のＲＯＭ５６から制御プログラムをロードし、これを内蔵のＤＲＡＭ７０に格納する。これと同時にＥＥＰＲＯＭ５４から撮影レンズユニット１４の調整に必要な各種データを読み出し、これをＤＲＡＭ７０に格納する。
【００２９】
ＭＰＵ６２は、ＤＲＡＭ７０に記憶した前記制御プログラム及びデータに基づいてレンズ交換式電子カメラ１０の各回路を統括・制御するもので、撮影レンズユニット１４の撮影レンズ４０、絞り４２、シャッター４４、タイミングジェネレータ５０及び電子ボリューム回路５２などの撮影レンズユニット１４の制御を行うとともに、信号処理回路６０において撮影レンズユニット固有の情報に対応した適切な信号処理が施されるように制御する。また、カメラボディ１２に設けられたレリーズスイッチからの入力信号により撮影を行うための制御、メモリカード６４の読み書き制御等を行う。
【００３０】
すなわち、レリーズスイッチが半押しされると、ＭＰＵ６２はコネクタ５８、６８を介してレンズ駆動部４１に制御信号を出力し、撮影レンズ４０を合焦位置に移動させる。そして、レリーズスイッチが全押しされると、所定の露出値になるように絞り４２及びシャッター４４に制御信号を出力し、ＣＣＤ４６の受光面に被写体像を結像させる。
【００３１】
ＣＣＤ４６の受光面に結像した被写体像は、ここで光電変換されて画像信号として順次読み出される。この画像信号はゲインコントロール（ＧＣ）回路、色バランス調整回路及びＡ／Ｄ変換器等を含むアナログ処理回路４８に加えられ、ここで所定の処理を経た後にデジタル信号に変換され、コネクタ５８、６８を介してカメラボディ１２の信号処理回路６０に転送される。
【００３２】
信号処理回路６０は、輝度信号生成回路、色差信号生成回路、ガンマ補正回路、圧縮／伸張回路、メモリコントローラ等を含み、これらの回路によって処理された画像データはカードコネクタ６６に装着されているメモリカード６４に記録される。
【００３３】
メモリカード６４に保存された画像データはＭＰＵ６２の制御によって読み出しが可能であり、メモリカード６４から読み出された画像データは信号処理回路６０において伸張処理された後、図示しない液晶モニタに出力される。
【００３４】
以上説明したように、本実施の形態のレンズ交換式カメラ１０によれば、撮影レンズユニット１４の下側突片１８をレンズマウント１６の嵌合部２２の穴２６に嵌入させ、撮影レンズユニット１４を回動させると、その回動操作に伴って自動的にレンズ側コネクタ５８がボディ側コネクタ６８に嵌入され、撮影レンズユニット１４とカメラボディ１２とが互いに電気的に接続される。これにより、正確かつ確実に互いのコネクタ同士を接続することができる。また、接点数の多い大きなコネクタを用いた場合であっても無理なく確実に接続することができる。
【００３５】
なお、本実施の形態では、レンズ側コネクタ５８を上下一対の突片１８、２０を結ぶ線分Ｓ上の中心よりやや上側の位置（上側突片１８寄りの位置）に配置し、カメラボディ１２に設けられたボディ側コネクタ６８を嵌合部２２とロック機構２４とを結ぶ線分Ｓ上の中心よりやや上側の位置（ロック機構２４寄りの位置）に配置しているが、コネクタの設置位置は、これに限定されるものではなく、撮影レンズユニット１４の装着に伴う回動動作によって確実に接続できる位置であればどこに配置してもよい。
【００３６】
ただし、無理なく確実に接続させることを考えると、レンズ側コネクタ５８にあっては上下一対の突片１８、２０を結ぶ線分Ｓ上に配置し、ボディ側コネクタ６８にあっては嵌合部２２とロック機構２４とを結ぶ線分Ｓ上に配置することが好ましく、より好ましくは、それぞれ当該線分Ｓ上の中心からずらした位置に配置することが好ましい。
【００３７】
たとえば、本実施の形態のように、レンズ側コネクタ５８にあっては上下一対の突片１８、２０を結ぶ線分Ｓ上の中心よりやや上側の位置（上側突片１８寄りの位置）に配置し、ボディ側コネクタ６８にあっては嵌合部２２とロック機構２４とを結ぶ線分Ｓ上の中心よりやや上側の位置（ロック機構２４寄りの位置）に配置する。あるいは、その逆にレンズ側コネクタ５８を上下一対の突片１８、２０を結ぶ線分Ｓ上の中心よりやや下側の位置（下側突片２０寄りの位置）に配置し、ボディ側コネクタ６８を嵌合部２２とロック機構２４とを結ぶ線分Ｓ上の中心よりやや下側の位置（嵌合部２４寄りの位置）に配置する。このように、コネクタを中心からずらして設置することにより、撮影レンズユニット１４の回動操作に伴うコネクタの接続が容易になり、より無理なく確実にコネクタ同士を接続することができる。
【００３８】
また、本実施の形態では、レンズ側コネクタ５８をオスコネクタとし、ボディ側コネクタ６８をメスコネクタとしているが、この構成は逆であってもよい。
【００３９】
図４は、本発明に係るレンズ交換式カメラの第２の実施の形態の要部の構成を示す概略図である。なお、上述した第１の実施の形態と共通する部材には同一の符号を付し、その詳細な説明は省略する。
【００４０】
同図に示すように、このレンズ交換式カメラは、撮影レンズユニット１４とカメラボディ１２とを電気的に接続するコネクタが２つ設けられている。すなわち、同図（ａ）に示すように、撮影レンズユニット１４の基端部端面には、第１レンズ側コネクタ５８ａと第２レンズ側コネクタ５８ｂが設けられており、また、同図（ｂ）に示すように、レンズマウント１６には、第１ボディ側コネクタ６８ａと第２ボディ側コネクタ６８ｂとが設けられている。
【００４１】
ここで、撮影レンズユニット１４に設けられた第１レンズ側コネクタ５８ａと第２レンズ側コネクタ５８ｂは、上下一対の突片１８、２０を結ぶ線分Ｓに対して左右対称に配置され、また、当該線分Ｓの中心よりやや上側の位置（上側突片１８寄りの位置）に配置されている。
【００４２】
一方、カメラボディ１２に設けられた第１ボディ側コネクタ６８ａと第２ボディ側コネクタ６８ｂも嵌合部２２とロック機構２４とを結ぶ線分Ｓに対して左右対称に配置され、また、当該線分Ｓの中心よりやや上側の位置（ロック機構２４寄りの位置）に配置されている。
【００４３】
以上のように構成された本実施の形態のレンズ交換式カメラによれば、撮影レンズユニット１４の下側突片１８をレンズマウント１６の嵌合部２２の穴２６に嵌入させ、撮影レンズユニット１４を回動させると、その回動操作に伴って自動的に第１レンズ側コネクタ５８ａと第２レンズ側コネクタ５８ｂが、第１ボディ側コネクタ６８ａと第２ボディ側コネクタ６８ｂに嵌入され、撮影レンズユニット１４とカメラボディ１２とが互いに電気的に接続される。これにより、両者間で信号の送受信が可能になる。
【００４４】
ここで、２つ設けられているコネクタは、第１レンズ側コネクタ５８ａと第１ボディ側コネクタ６８ａとの接続で撮影レンズユニット１４の制御信号の伝送が行われ、第２レンズ側コネクタ５８ｂと第２ボディ側コネクタ６８ｂとの接続で映像信号の伝送が行われる。
【００４５】
このように、本実施の形態のレンズ交換式カメラでは、撮影レンズユニット１４の制御信号の伝送と映像信号の伝送とをそれぞれ個別のコネクタで行う。この際、無理なく確実にコネクタ同士を接続するためには、本実施の形態のレンズ交換式カメラのように、各コネクタを２箇所ある結合部を結ぶ線分Ｓに対して左右対称に配置することが好ましい。すなわち、撮影レンズユニット１４にあっては、上下一対の突片１８、２０を結ぶ線分Ｓに対して左右対称に配置し、レンズマウント１６にあっては、嵌合部２２とロック機構２４とを結ぶ線分Ｓに対して左右対称に配置することが好ましい。
【００４６】
また、前記第１の実施の形態のレンズ交換式カメラと同様に各コネクタを２箇所ある結合部を結ぶ線分Ｓの中心からずらして配置することが好ましい。すなわち、撮影レンズユニット１４にあっては、上下一対の突片１８、２０を結ぶ線分Ｓの中心から上側又は下側にずらして配置し、レンズマウント１６にあっては、嵌合部２２とロック機構２４とを結ぶ線分Ｓの中心から上側又は下側にずらして配置することが好ましい。
【００４７】
また、このようにコネクタが２つある場合は、図５に示すように、各コネクタを２箇所ある結合部を結ぶ線分Ｓ上に上下均等に配置してもよい。すなわち、撮影レンズユニット１４にあっては、上下一対の突片１８、２０を結ぶ線分Ｓ上に第１レンズ側コネクタ５８ａと第２レンズ側コネクタ５８ｂを上下均等に配置し、レンズマウント１６にあっては、嵌合部２２とロック機構２４とを結ぶ線分Ｓ上に第１ボディ側コネクタ６８ａと第２ボディ側コネクタ６８ｂを上下均等に配置する。この場合においても、撮影レンズユニット１４を回動させた際、無理なく確実にコネクタ同士を接続することができる。
【００４８】
なお、本実施の形態では、コネクタが２つ設けられた例で説明したが、更に複数個のコネクタを設けてもよい。この場合も上記同様に各コネクタを２箇所ある結合部を結ぶ線分Ｓに対して左右対称に配置することが好ましい。たとえば、図６に示すように、撮影レンズユニット１４に３つのコネクタ（第１〜第３レンズ側コネクタ５８ａ〜５８ｃ）が設置され、レンズマウント１６に３つのコネクタ（第１〜第３ボディ側コネクタ６８ａ〜６８ｃ）が設置されている場合は、各コネクタの配置が線分Ｓに対して左右対称になるよう設置する。これにより、撮影レンズユニット１４を回動させた際、無理なく確実にコネクタ同士を接続することができる。
【００４９】
図７は、本発明に係るレンズ交換式カメラの第３の実施の形態の構成を示すブロック図であり、図８は、その要部の構成を示す概略図である。なお、上述した第１の実施の形態と共通する部材には同一の符号を付し、その詳細な説明は省略する。
【００５０】
本実施の形態のレンズ交換式カメラ８０は、撮影レンズユニット１４とレンズマウント１６との機械的な接続構造が、上述した第１の実施の形態のレンズ交換式カメラ１０と相違している。
【００５１】
図７及び図８に示すように、撮影レンズユニット１４の基端部外周には、ピン８２と板状の係止片８４が、撮影光軸Ｌに対して上下対称に配置されている。
【００５２】
一方、レンズマウント１６には、下部位置に前記撮影レンズユニット１４のピン８２が嵌合する嵌合部８６が形成されており、また、上部には前記係止片８４を固定するロック機構８８が設けられている。
【００５３】
嵌合部８６はブロック状に形成されており、先端部がレンズマウント１６の前面から突出して形成されている。そして、その突出した部分の上面に前記ピン８２が嵌入する穴９０が形成されている。
【００５４】
一方、ロック機構８８は、上下方向にスライド自在に設けられたストッパープレート９２を前記係止片８４に係合させて、係止片８４を固定する。このストッパープレート９２は、レンズマウント１６の上部に設けられたガイドブロック９４のガイド溝９６内をスライド自在に設けられており、その上端部に連結された押圧バネ９８によって下方に付勢されている。ガイド溝９６内には、前記係止片８４が嵌合する凹部１００が形成されており、凹部１００はストッパープレート９２を上下動させることにより開閉される。
【００５５】
以上のように構成された接続構造において、撮影レンズユニット１４をレンズマウント１６に装着する場合は、まず、撮影レンズユニット１４の基端部下部に形成されたピン８２をレンズマウント１６の下側に形成された嵌合部８６の穴９０に嵌入させる。この際、撮影レンズユニット１４は、カメラボディ１２に対して先端部を下側に傾け、ゆっくりと回動させながらピン８２を嵌合部８６の穴９０に嵌入させる。この撮影レンズユニット１４を回動させる過程で撮影レンズユニット１４に設けられたレンズ側コネクタ５８が、レンズマウント１６に形成されたボディ側コネクタ６８に嵌入される。
【００５６】
ここで、撮影レンズユニット１４を回動させてゆくと、撮影レンズユニット１４の基端部上部に設けられた係止片８４が、レンズマウント１６の上部に設けられたロック機構８８の位置までくるので、この係止片８４がロック機構８８の位置まできたところで、ストッパープレート９２を上方にスライドさせ、凹部１００に係止片８４を嵌合させる。これにより、撮影レンズユニット１４の基端部端面がレンズマウント１６に密着するので、この状態でストッパープレート９２を下げ凹部１００の開口を閉じて、係止片８４をストッパープレート９２でロックする。これにより、撮影レンズユニット１４がレンズマウント１６にロックされる。
【００５７】
このような接続構造を用いて撮影レンズユニット１４とレンズマウント１６とを機械的に接続した場合であっても、上述した第１の実施の形態のレンズ交換式カメラと同様に撮影レンズユニット１４をレンズマウント１６に取り付ける回動動作で互いのコネクタを無理なく確実に接続することができる。
【００５８】
なお、本実施の形態の接続構造を用いた場合においても、コネクタは結合部を結ぶ線分Ｓ上に配置することが好ましく、また、より好ましくは線分Ｓの中心からずらして設置することが好ましい。
【００５９】
また、本実施の形態の接続構造においても、コネクタは複数設置することができる。この場合において各コネクタは結合部を結ぶ線分Ｓに対して左右対称又は上下均等に配置することが好ましい。
【００６０】
図９は、本発明に係るレンズ交換式カメラの第４の実施の形態の要部の構成を示す概略図である。なお、上述した第１の実施の形態と共通する部材には同一の符号を付し、その詳細な説明は省略する。
【００６１】
本実施の形態のレンズ交換式カメラは、撮影レンズユニット１４とレンズマウント１６とを３箇所で結合している。
【００６２】
図９に示すように、撮影レンズユニット１４の基端部外周には、その下部位置に一枚の突片１８が突出して形成されるとともに、その上部位置に一対の座金部材１０２、１０２が突出して形成されている。一対の座金部材１０２、１０２は突片から等距離の位置に配設されており、それぞれビス１０４、１０４が回動自在に取り付けられている。
【００６３】
一方、レンズマウント１６には、下部位置に前記撮影レンズユニット１４の突片１８が嵌合する嵌合部２２が形成されており、また、上部には前記一対のビス１０４、１０４が嵌合するナット部材１０６、１０６が形成されている。
【００６４】
ここで、図９に示すように、本実施の形態のレンズ交換式カメラでは、撮影レンズユニット１４とレンズマウント１６に３つのコネクタ（第１〜第３レンズ側コネクタ５８ａ〜５８ｃと第１〜第３ボディ側コネクタ６８ａ〜６８ｃ）が設置されている。各コネクタは、３つある結合部を結ぶ線分Ｕで形成される三角形Ｔの重心Ｏに対して均等になるように配設されている。
【００６５】
以上のように構成されたレンズ交換式カメラにおいて、撮影レンズユニット１４をレンズマウント１６に装着する場合は、まず、撮影レンズユニット１４の基端部下部に形成された突片１８をレンズマウント１６の下側に形成された嵌合部２２の穴２６に嵌入させる。この際、撮影レンズユニット１４は、カメラボディ１２に対して先端部を下側に傾け、ゆっくりと回動させながら突片１８を嵌合部２２の穴２６に嵌入させる。この撮影レンズユニット１４を回動させる過程で撮影レンズユニット１４に設けられたレンズ側コネクタ５８が、レンズマウント１６に形成されたボディ側コネクタ６８に嵌入される。そして、撮影レンズユニット１４の基端部端面がレンズマウント１６に密着したところで、撮影レンズユニット１４のビス１０４、１０４をレンズマウント１６に形成されたナット部材１０６、１０６に螺合させる。これにより、撮影レンズユニット１４がレンズマウント１６にロックされる。
【００６６】
このように複数箇所で固定する構造であっても、上述した第１の実施の形態のレンズ交換式カメラと同様に撮影レンズユニット１４をレンズマウント１６に取り付ける回動動作で互いのコネクタを無理なく確実に接続することができる。
【００６７】
なお、本実施の形態では、２箇所で固定するようにしているが、さらに複数箇所で固定するようにしてもよい。この場合、コネクタは、複数ある結合部を結ぶ線分で形成される多角形の重心に対して均等になるように配設することが好ましく、これにより、撮影レンズユニット１４の回動操作によって無理なく確実にコネクタ同士を接続することができる。
【００６８】
【発明の効果】
以上説明したように、本発明によれば、撮影レンズユニットに形成された係合部をカメラボディに形成された被係合部に係合させて、撮影レンズユニットをカメラボディ側に回動させることにより、無理なく確実に互いのコネクタを接続することができる。また、これにより、接点数の多い大型のコネクタを用いることができる。
【図面の簡単な説明】
【図１】レンズ交換式カメラの第１の実施の形態の外観構成を示す斜視図
【図２】レンズ交換式カメラの第１の実施の形態の要部の構成を示す概略図
【図３】レンズ交換式カメラの第１の実施の形態の内部構造を示すブロック図
【図４】レンズ交換式カメラの第２の実施の形態の要部の構成を示す概略図
【図５】レンズ交換式カメラの他の実施の形態の要部の構成を示す概略図
【図６】レンズ交換式カメラの他の実施の形態の要部の構成を示す概略図
【図７】レンズ交換式カメラの第３の実施の形態の内部構造を示すブロック図
【図８】レンズ交換式カメラの第３の実施の形態の要部の構成を示す概略図
【図９】レンズ交換式カメラの第４の実施の形態の要部の構成を示す概略図
【符号の説明】
１０…レンズ交換式カメラ、１２…カメラボディ、１４…撮影レンズユニット、１６…レンズマウント、１８、２０…突片、２２…嵌合部、２４…ロック機構、２６…穴、２８…ロック爪、３０…回転軸、３２…支持片、３４…鉤部、３６…溝、３８…引張バネ、４０…撮影レンズ、４１…レンズ駆動部、４２…絞り、４４…シャッター、４６…固体撮像素子（ＣＣＤ）、４８…アナログ処理回路、５０…タイミングジェネレータ、５２…電子ボリューム回路、５４…ＥＥＰＲＯＭ、５６…ＲＯＭ、５８、５８ａ、５８ｂ、５８ｃ…レンズ側コネクタ、６０…信号処理回路、６２…中央処理装置（ＭＰＵ）、６４…メモリカード、６６…カードコネクタ、６８、６８ａ、６８ｂ、６８ｃ…ボディ側コネクタ、８０…レンズ交換式カメラ、８２…ピン、８４…係止片、８６…嵌合部、８８…ロック機構、９０…穴、９２…ストッパープレート、９４…ガイドブロック、９６…ガイド溝、９８…押圧バネ、１００…凹部、１０２…座金部材、１０４…ビス、１０６…ナット部材
【図１】
0003835533.tif 000002
【図２】
0003835533.tif 000003
【図３】
0003835533.tif 000004
【図４】
0003835533.tif 000005
【図５】
0003835533.tif 000006
【図６】
0003835533.tif 000007
【図７】
0003835533.tif 000008
【図８】
0003835533.tif 000009
【図９】
0003835533.tif 000010